(57)【要約】【課題】本発明は、空気清浄機に関するもので、メンテナンス性を向上することを目的とする。【解決手段】第一の吸込口２と第一の吹出口３を有する本体１と、前記第一の吸込口２から吸入した空気を前記第一の吹出口３に導く風路内に、塵埃等を除去する空気清浄手段４と、前記空気清浄手段４に送風するための送風手段５と、前記送風手段５を駆動するためのモータ６とを備えた空気清浄装置において、前記空気清浄手段４に空気清浄運転時と逆向きの風を通過させるクリーニング運転時において第一の吸込口２と第一の吹出口３を閉鎖する開閉手段１５と、空気を吸い込む第二の吸込口１０と空気を吹出す第二の吹出口１１とを前記空気清浄手段４の下部に設け、風路内に空気清浄運転時と逆向きの風を通過させるための第一の風路切替手段１２と第二の風路切替手段１３を設け、前記第二の吹出口１１あるいは第二の吹出口１１の前段に回収トレイ１８を設けた。【選択図】図３
2012026692.tif 000002
【特許請求の範囲】
【請求項１】
第一の吸込口と第一の吹出口を有する本体と、
前記第一の吸込口から吸入した空気を前記第一の吹出口に導く風路内に、
塵埃等を除去する空気清浄手段と、
前記空気清浄手段に送風するための送風手段と、
前記送風手段を駆動するためのモータとを備えた空気清浄装置において、
前記空気清浄手段に空気清浄運転時と逆向きの風を通過させるクリーニング運転時において第一の吸込口と第一の吹出口を閉鎖する開閉手段と、
空気を吸い込む第二の吸込口と空気を吹出す第二の吹出口とを前記空気清浄手段の下部に設け、
風路内に空気清浄運転時と逆向きの風を通過させるための第一の風路切替手段と第二の風路切替手段を設け、
前記第二の吹出口あるいは第二の吹出口の前段にほこり回収手段を設けたことを特徴とする空気清浄装置。
【請求項２】
ほこり回収手段は、第二の吹出口に設けたフィルタを有する開口部である請求項１記載の空気清浄装置。
【請求項３】
ほこり回収手段は、前記第二の吹出口の前段に設けた回収トレイである請求項１記載の空気清浄装置。
【請求項４】
回収トレイは直径１００ｎｍから２００ｎｍの繊維状物質からなるフィルタを備えたことを特徴とする請求項３記載の空気清浄装置。
【請求項５】
空気清浄運転時と逆向きの風をメインフィルタの上流側にバイパスさせるバイパス切替手段を備えたことを特徴とする請求項１から４のいずれかに記載の空気清浄装置。
【請求項６】
風路切替手段は、複数の風路切替部材がリンク部材により連動して同時に開閉することを特徴とする請求項１から５のいずれかに記載の空気清浄装置。
【請求項７】
風路切替手段は、１乃至２の風路切替部材がリンク部材により連動することを特徴とする請求項１から６のいずれかに記載の空気清浄装置。
【請求項８】
風路内に親水性加工をしたことを特徴とする請求項１から７のいずれかに記載の空気清浄装置。
【請求項９】
ほこり回収手段のほこり回収時期を検知する検知手段を備えたことを特徴とする請求項１から８のいずれかに記載の空気清浄装置。
【請求項１０】
ほこり回収手段のほこり回収時期を報知する報知手段を備えたことを特徴とする請求項１から９のいずれかに記載の空気清浄装置。
【発明の詳細な説明】
【技術分野】
【０００１】
本発明は、例えば室内における空気清浄を行う空気清浄装置に関するものである。
【背景技術】
【０００２】
従来のこの種の空気清浄装置の構成は、下記のようなものとなっていた。
【０００３】
すなわち、円筒上のフィルタ装置１０１の内側から外側に向かって空気の流れを発生させるフィルタ装置清掃手段１０２を設けることによって達成され、好ましくはフィルタ装置１０１の内側で回転する除じん部材１０３を有し、フィルタ装置１０１を振動させることで除じんを行う除じん装置１０４の下部に羽根部１０５を設けていた。
【０００４】
この時、フィルタ装置１０１に捕集された塵埃が気流によりフィルタ表面から剥離され、装置の底面に落下することになっていた（例えば特許文献１参照）。          
【先行技術文献】
【特許文献】
【０００５】
【特許文献１】特開２００８−２２２８９１号公報
【発明の概要】
【発明が解決しようとする課題】
【０００６】
上記従来例で課題となるのは、家庭などで使用される空気清浄装置では、逆方向の風のみでフィルタからほこりを剥離したあと、そのほこりを装置内で飛散させるあるいは滞留させてしまうことがあった。
【０００７】
すなわち、従来の集塵機においては、上述のごとく、フィルタ装置の内部に羽根部を有する除じん装置が設けられているので、フィルタに付着した塵埃が羽根部からの風により払い落とされ装置の底部に落下するものである。しかしながら、空気清浄機の塵埃を回収するためには、底部に落下させるのみではメンテナンス性不十分であり、空気清浄機の風路内にほこりが滞ったりする場合もある。
【０００８】
さらに、フィルタ装置の内部に羽根部を有する除じん装置が設けられているので、本体の厚みが大きくなってしまう場合もある。
【０００９】
そこで本発明は、メンテナンス性の向上や本体厚みを抑えることを目的とするものである。
【課題を解決するための手段】
【００１０】
そして、この目的を達成するために本発明は、第一の吸込口と第一の吹出口を有する本体と、前記第一の吸込口から吸入した空気を前記第一の吹出口に導く風路内に、塵埃等を除去する空気清浄手段と、前記空気清浄手段に送風するための送風手段と、前記送風手段を駆動するためのモータとを備えた空気清浄装置において、前記空気清浄手段に空気清浄運転時と逆向きの風を通過させるクリーニング運転時において第一の吸込口と第一の吹出口を閉鎖する開閉手段と、空気を吸い込む第二の吸込口と空気を吹出す第二の吹出口とを前記空気清浄手段の下部に設け、風路内に空気清浄運転時と逆向きの風を通過させるための第一の風路切替手段と第二の風路切替手段を設け、前記第二の吹出口あるいは第二の吹出口の前段にほこり回収手段を設けたことを特徴とする空気清浄装置であって、これにより初期の目的を達成するものである。
【発明の効果】
【００１１】
本発明によれば、逆向きの風によって落とされたほこりを一定の場所に収集することができるため、お手入れの際に簡単にほこりを取り除くことができメンテナンス性を向上できる。
【００１２】
また、逆向きの風によって落とされたほこりをフィルタ上に収集することができるため、お手入れの際に簡単にほこりを取り除くことができる。
【００１３】
また、風路内に付着したほこりを風によって払い落とし、一定の場所に収集することができるため、お手入れの際に簡単にほこりを取り除くことができメンテナンス性を向上できる。
【００１４】
また、送風手段を新たに設けることなく逆向きの流れができるので、本体を薄型化することができる。
【００１５】
また、風路内にほこりが付着しにくいため風によってほこりを一箇所に収集しやすくなり、お手入れの際に簡単にほこりを取り除くことができる。
【００１６】
また、ほこり蓄積による空気清浄性能の低下を防ぐことができ、使用者にお手入れの必要性を促すことができるので、長期使用において空気清浄性能を保つことができる。
【図面の簡単な説明】
【００１７】
【図１】本発明の一実施形態における空気清浄装置を示す斜視図
【図２】同側面断面を示す構成図
【図３】同側面断面を示す構成図
【図４】開口部を示す斜視図
【図５】（ａ）同ほこり回収手段の断面を示す構成図、（ｂ）同ほこり回収手段の平面を示す構成図
【図６】（ａ）同風路切替手段の開状態の断面を示す構成図、（ｂ）同風路切替手段の閉状態の断面を示す構成図
【図７】同側面断面を示す構成図
【図８】従来の集塵機の一例の断面を示す構成図
【発明を実施するための形態】
【００１８】
本発明を実施する最良の形態について説明する。
【００１９】
本発明の請求項１記載の空気清浄装置は、第一の吸込口と第一の吹出口を有する本体と、前記第一の吸込口から吸入した空気を前記第一の吹出口に導く風路内に、塵埃等を除去する空気清浄手段と、前記空気清浄手段に送風するための送風手段と、前記送風手段を駆動するためのモータとを備えた空気清浄装置において、前記空気清浄手段に空気清浄運転時と逆向きの風を通過させるクリーニング運転時において第一の吸込口と第一の吹出口を閉鎖する開閉手段と、空気を吸い込む第二の吸込口と空気を吹出す第二の吹出口とを前記空気清浄手段の下部に設け、風路内に空気清浄運転時と逆向きの風を通過させるための第一の風路切替手段と第二の風路切替手段を設け、前記第二の吹出口あるいは第二の吹出口の前段にほこり回収手段を設けたことを特徴とするものである。
【００２０】
これにより、逆向きの風によって落とされたほこりを一定の場所に収集することができるため、お手入れの際に簡単にほこりを取り除くことができメンテナンス性を向上できる。
【００２１】
また、ほこり回収手段は、第二の吹出口に設けたフィルタを有する開口部であることを特徴とするものである。これにより、逆向きの風によって落とされたほこりを一定の場所に収集することができるため、お手入れの際に簡単にほこりを取り除くことができメンテナンス性を向上できる。
【００２２】
また、ほこり回収手段は、前記第二の吹出口の前段に設けた回収トレイであることを特徴とするものである。これにより、逆向きの風によって落とされたほこりを一定の場所に収集することができるため、お手入れの際に簡単にほこりを取り除くことができメンテナンス性を向上できる。
【００２３】
また、ほこり回収手段に直径１００ｎｍから２００ｎｍの繊維状物質からなるフィルタを備えたことを特徴とするものであり、逆向きの風によって落とされたほこりをフィルタ上に収集することができるため、お手入れの際に簡単にほこりを取り除くことができる。
【００２４】
また、空気清浄運転時と逆向きの風をメインフィルタの上流側にバイパスさせるバイパス切替手段を備えるものであり、風路内に付着したほこりを風によって払い落とし、一定の場所に収集することができるため、お手入れの際に簡単にほこりを取り除くことができメンテナンス性を向上できる。
【００２５】
また、風路切替手段は、複数の風路切替部材がリンク部材により連動して同時に開閉するものであり、送風手段を新たに設けることなく逆向きの流れができるので、本体を薄型化することができる。
【００２６】
また、風路切替手段は、１乃至２の風路切替部材がリンク部材により連動するものであり、送風手段を新たに設けることなく逆向きの流れができるので、本体を薄型化することができる。
【００２７】
また、風路内に親水性加工をしたもので、風路内にほこりが付着しにくいため風によってほこりを一箇所に収集しやすくなり、お手入れの際に簡単にほこりを取り除くことができる。
【００２８】
また、ほこり回収手段のほこり回収時期を検知する検知手段を備えたもので、過剰なほこり蓄積による空気清浄性能の低下を防ぐことができるので、長期使用において空気清浄性能を保つことができる。
【００２９】
また、ほこり回収手段のほこり回収時期を報知する報知手段を備えたもので、使用者にお手入れの必要性を促すことができるので、長期使用において空気清浄性能を保つことができる。
【００３０】
以下、本発明の一実施の形態を、添付図面を用いて説明する。
【００３１】
（実施の形態）
図１において、空気清浄機の本体１は上下方向に直方体形状をしており、この例では室内のリビングに配置され、この本体１の外周面、具体的には本体１の正面には室内空気を吸い込む第一の吸込口２を設けており、また本体１の上面には清浄空気を吹出す第一の吹出口３を設けている。
【００３２】
さらに、本体１内には、図２に示すように、空気清浄手段４、送風手段５、モータ６とを設けている。空気清浄手段４は、プレフィルタ７、メインフィルタ８、脱臭フィルタ９により構成されている。このとき、メインフィルタ８は細かなほこりまで捕集可能な１００ｎｍから２００ｎｍの繊維状物質を用いたナノファイバフィルタであることが望ましい。
【００３３】
具体的には、この本体１内の前面近傍にプレフィルタ７、メインフィルタ８、脱臭フィルタ９を配置し、この本体１内の背面側に送風手段５、モータ６を配置している。
【００３４】
また、クリーニング運転時に空気を吸込む第二の吸込口１０と、空気を吹出す第二の吹出口１１とを、第一の吸込口２の下部に設けている。空気清浄運転時には、第一の吸込口２より大部分の空気を吸込む構成となっているため、これを設けたことによる風路への影響はほとんどない。
【００３５】
以上の構成において、空気清浄運転時、本体１内には、図２の矢印で示すような風路Ａが形成されている。
【００３６】
風路Ａは、第一の吸込口２から第一の吹出口３に向けて、プレフィルタ７、メインフィルタ８、脱臭フィルタ９、送風手段５に至る送風路となっている。
【００３７】
なお、この実施形態では、第一の吸込口２から吸込まれた室内の空気が、プレフィルタ７を通過するとき、比較的大きな埃が捕集され、その後にメインフィルタ８で細かな埃や花粉、ダニ、アレルゲン物質を捕集する。そして、脱臭フィルタ９で臭気物質の吸着を行うこととなる。
【００３８】
このときの動作について説明する。
【００３９】
すなわち、室内空気が第一の吸込口２から吸い込まれ、プレフィルタ７を通過すると、プレフィルタ７の表面上に比較的大きなほこりが蓄積し、後段のメインフィルタ８ではさらに細かなほこりが捕集される。そして、脱臭フィルタ９を通過した空気が送風手段５によって第一の吹出口３から吹出すこととなる。
【００４０】
図３は本実施形態のクリーニング運転時を示したものである。空気清浄運転時とクリーニング運転時の切替えは、一定時間以上空気清浄機を運転した後に行い、毎回使用のたびに切り替わることが望ましい。
【００４１】
図３に示すように、本体１上部には、クリーニング運転の開始を制御する操作制御手段１４を設けている。また、第一の吸込口２および第一の吹出口３の風路を閉じる開閉手段１５を設けている。
【００４２】
本体１の底面には、第二の吸込口１０と第二の吹出口１１として開口を設けている。このときの開口部１７はフィルタ形状である。なお、第二の吸込口１０と第二の吹出口１１を底面に設けることができるのは、本体１底面にキャスターあるいは台座を有し、本体１底面の下方に空間が確保できる場合である。
【００４３】
本体１底面の下方に空間が確保できない場合は、図４に示すように、本体１の側面に、第二の吸込口１０と第二の吹出口１１としてフィルタ形状の開口を設ければ良い。
【００４４】
さらに、図３では、空気清浄運転時と逆向きの風が発生するための第一の風路切替手段１２と第二の風路切替手段１３、逆向きの風によって空気清浄手段４から剥離したほこりを回収するほこり回収手段として第二の吹出口１１に回収トレイ１８を設けている。なお、前述したフィルタ形状の代わりに、第二の吹出口１１を目の粗いグリル形状として、その上に着脱可能な回収トレイ１８を設けても良い。具体的には、図５に示すように、回収トレイ１８は底面にフィルタ１６を有する形状としている。このときのフィルタ１６および前述の開口部に設けたフィルタは、直径１００ｎｍから２００ｎｍの繊維状物質からなるフィルタとするのが望ましい。
【００４５】
以上の構成において、ほこりを含んだ空気が後段の回収トレイ１８を通過することによってほこりを一箇所に集めることができるため、使用者がお手入れでほこりを取り除く際に、簡単にほこりを取り除くことができる。
【００４６】
また、脱臭フィルタ９と送風手段５の間に、第一の風路切替手段１２を設けている。
【００４７】
図６は、第一の風路切替手段１２の詳細を示したものである。
【００４８】
図６に示すように、第一の風路切替手段１２は、風路切替部材２３が回転軸１９によって支持されており、それらの風路切替部材２３はリンク部材２０によって連動して開閉するようになっている。このリンク部材２０には例えばステッピングモータなどの制御手段２１が備えられ、回転と連動して風路切替部材２３が開閉する機構となっている。つまり、この風路切替部材２３が水平方向の風の流れを封鎖し風路切替を行うことができる。そのため、送風手段を新たに設けることなく逆向きの流れができるので、本体を薄型化することができる。
【００４９】
また、図６に示すように、１乃至２の風路切替部材２３は回転軸によって支持されず、リンク部材により連動するものであり、これ以外の風路切替部材２３のように制御手段２１の回転と連動して開閉が起こらない。つまり、この風路切替部材２３が鉛直方向の風の流れを封鎖し風路漏れを防ぐことができる。そのため、送風手段を新たに設けることなく逆向きの流れができるので、本体を薄型化することができる。
【００５０】
さらに、図３に示すように、本体１内には、送風手段５から吹出した風を本体１の前面側へ風路を切り替える第二の風路切替手段１３を第一の吹出口３の下面に設けている。そして、空気清浄手段４より下部側で、第二の吹出口１１あるいは第二の吹出口１１の前段に回収トレイ１８を設けている。第二の吸込口１０と第二の吹出口１１との位置関係は、第二の吹出口１１が第二の吸込口１０より本体１前面側にあることが望ましい。また、開閉手段１５は風路から風がもれない構成であれば、ダンパー機構あるいはシャッター機構などどのような機構を用いても良い。
【００５１】
以上の構成において、クリーニング運転時、本体１内には、図３の矢印で示すような風路Ｂが形成される。風路Ｂは、第二の吸込口１０から第二の吹出口１１に向けて、送風手段５、脱臭フィルタ９、メインフィルタ８、プレフィルタ７、回収トレイ１８に至る送風路となっている。
【００５２】
このときの動作について説明する。
【００５３】
クリーニング運転の指令が操作制御手段１４に入ると、第一の吸込口２と第一の吹出口３の風路を閉じる開閉手段１５が動作する。そして、本体１下面の第二の吸込口１０から室内の空気を吸い込み、送風手段５から吸い込まれた空気は本体上部を経由して空気清浄手段４の本体背面側から通過する。このとき、空気清浄手段４を通過する空気の向きは、空気清浄運転時とは逆の方向となる。空気清浄手段４を通過した空気は、ほこりとともに本体１前面の風路を通過する。さらに、その風路の下部側に設けられた回収トレイ１８を経由することで、空気とともに運ばれたほこりが一箇所に収集され、空気は第二の吹出口１１より排出される。
【００５４】
なお、この実施形態では、第二の吸込口１０から吸込まれた室内の空気が、メインフィルタ８で細かな埃や花粉、ダニ、アレルゲン物質を剥離し、さらにプレフィルタ７を通過するとき、比較的大きな埃を払い落とす。さらに、ほこりを含んだ空気が後段の回収トレイ１８を通過することによってほこりを一箇所に集めることができるため、使用者がお手入れでほこりを取り除く際に、簡単にほこりを取り除くことができる。
【００５５】
図７は、本実施形態の他の使用方法を示したものである。
【００５６】
図７に示すように、本体１内には、図４に示すように、空気清浄手段４を通過させないバイパス切替手段２２を設けている。
【００５７】
具体的には、この本体１内の上部側にバイパス切替手段２２を設け、空気清浄運転時およびクリーニング運転時は空気清浄手段４を通過することとし、クリーニング運転後にバイパス切替手段２２によって空気清浄手段４を通過しないようにしている。
【００５８】
以上の構成において、本体１内には、図４の矢印で示すような風路Ｃが形成されている。
【００５９】
風路Ｃは、第二の吸込口１０から送風手段５、回収トレイ１８、そして第二の吹出口１１に至る送風路となっている。
【００６０】
このときの動作について説明する。
【００６１】
第二の吸込口１０から吸込まれた室内の空気が、本体１上部側の風路を経由して本体前面を通過する。それから、回収トレイ１８を通過して、第二の吹出口１１から排気される。これによって、風路上にあるほこりが風で運ばれ、後段のほこり回収手段によって回収される。
【００６２】
すなわち、風路内に付着したほこりを風によって払い落とし、一定の場所に収集することができるため、お手入れの際に簡単にほこりを取り除くことができメンテナンス性を向上できる。
【００６３】
また、風路の表面には、付着した埃が風でとれやすい親水性加工を備えている。
【００６４】
上記構成により、空気とともに運ばれたほこりが風路を通過する過程において、ほこりが静電気などによって風路に付着することがないため、ほこりを一箇所に集めることができるため、使用者がお手入れでほこりを取り除く際に、簡単にほこりを取り除くことができる。
【００６５】
また、回収トレイ１８の清掃の必要性を検知する清掃検知手段（図示せず）を備え、具体的には定期的（１回／月）あるいはほこり回収手段の前回清掃をしたときから今回までの積算時間を検知するものである。なお、他の清掃検知手段として、ほこり回収手段の表面の埃を検知する表面埃検知手段（図示せず）があり、例えば、ほこり回収されたフィルタ１６の光の透過率を検知できる検知手段や、フィルタ１６に付着した埃の総重量を検知することのできる検知手段によって清掃の必要性を把握するものである。
【００６６】
さらに、清掃検知手段（図示せず）で検出された信号を使用者に報知する清掃報知手段（図示せず）を備え、具体的にはＬＥＤランプによる点灯や音声などによる清掃報知手段を備えている。
【００６７】
すなわち、回収トレイ１８は、汚れの程度によって清掃検知手段によって清掃時期を検知され、清掃報知手段によって使用者はその掃除の時期を知らされ、そのたびに回収トレイ１８を洗浄する。
【００６８】
つまり、ほこり蓄積による空気清浄性能の低下を防ぐことができ、使用者にお手入れの必要性を促すことができるので、長期使用において空気清浄性能を保つことができる。
【産業上の利用可能性】
【００６９】
本発明にかかる空気清浄装置は、逆向きの風によって落とされたほこりを本体の一部に回収することができるため、メンテナンス性を向上することができる。また、このため、家庭用・業務用空気清浄機として、広く活用が期待されるものとなる。
【符号の説明】
【００７０】
１    本体
２    第一の吸込口
３    第一の吹出口
４    空気清浄手段
５    送風手段
６    モータ
７    プレフィルタ
８    メインフィルタ
９    脱臭フィルタ
１０  第二の吸込口
１１  第二の吹出口
１２  第一の風路切替手段
１３  第二の風路切替手段
１４  操作制御手段
１５  開閉手段
１６  フィルタ
１８  回収トレイ
１９  回転軸
２０  リンク部材
２１  制御手段
２２  バイパス切替手段
２３  風路切替部材
Ａ    風路
Ｂ    風路
Ｃ    風路
【図１】
2012026692.tif 000003
【図２】
2012026692.tif 000004
【図３】
2012026692.tif 000005
【図４】
2012026692.tif 000006
【図５】
2012026692.tif 000007
【図６】
2012026692.tif 000008
【図７】
2012026692.tif 000009
【図８】
2012026692.tif 000010